(57)【特許請求の範囲】
【請求項１】
縦枠と横枠で構成され、この横枠側に設けたヒンジで折り畳み自在に結合した２枚の天枠部と、この２枚の天枠部における前記ヒンジと反対側にそれぞれ２個ずつ折り畳み自在に取り付けられ、立ち作業に適した高さを有する脚柱と、前記２枚の天枠部における縦枠の一方側に沿ってそれぞれ起伏自在に設けられた縦向き載棒と、前記いずれか一方の前記天枠部の縦枠の前記ヒンジと反対側に沿って起伏自在に設けられた横向き載棒とを具備し、前記脚柱を、前記天枠部の縦枠に脚柱支持板とピンにより回動自在に取付け、前記脚柱を起立したとき前記縦枠とで、３角形をなすようにアームを配置し、このアームの一端を、ピンにより前記縦枠に回動自在に取付け、前記アームの他端側に長孔を形成し、前記脚柱に設けた締付ねじを前記長孔に摺動かつ締め付け自在に取り付け、前記一方の天枠部のヒンジと反対側の横枠の外側縁にキャスタを取付け、他方の天枠部のヒンジと反対側の横枠の外側縁にストッパ取付金具により着脱自在に畳床係止用ストッパを取付け、前記２枚の天枠部を折り畳んだとき、隣り合う脚柱間に開き防止の留め具を設け、前記各脚柱に、高さ調節脚を伸縮自在に取り付けたことを特徴とする畳作業台。
【請求項２】
天枠部と脚柱は、アルミニウムの角筒からなり、縦向き載棒と横向き載棒はアルミニウムの円筒からなることを特徴とする請求項１記載の畳作業台。
【発明の詳細な説明】
【０００１】
【産業上の利用分野】
本発明は、畳床に新たな畳表を張りつけたり畳縁を取付けたりする場合に使用される畳作業台であって、折り畳んだ状態で持ち運び可能な畳作業台に関するものである。
【０００２】
【従来の技術】
畳床に新たな畳表を張ったり畳縁を取付けたりする場合、一般に畳床を畳作業台に載せて作業が行われる。従来は、畳針と畳糸を持って腰を屈めて畳糸を肘で絞め上げながら行われており、そのため、畳作業台は、３０〜３５ｃｍ程度の高さであった。
又、畳表の張替え作業は、一般に、現場に道具を持ち込んで行われる場合が多いが、これまでの畳作業台は大きく重く、移動しづらいものが多かった。
【０００３】
【発明が解決しようとする課題】
本出願人は、立ち作業により畳床に新たな畳表を張りつけたり、張り替えたりする場合に使用され、持ち運びに便利な畳作業台をすでに提案した（実用新案登録第３０６１０９７号）。
上記畳作業台によれば、腰を屈める等の不自然な姿勢をとらずに畳張りつけや畳張替えが可能であり、又、畳職人としての経験を有しない人でも簡単に、しかも、正確できれいに畳表の張り替えができる。更に、脚柱を折り畳むことにより、持ち運ぶことも可能である。
【０００４】
しかし、上記畳作業台は、折り畳み自在なのは脚柱部分のみであって、天枠部は折畳むことができないので、折畳んだ状態でも全体的には大きく、薄い直方体であった。
従って、持ち運びには相当の力を要し、かつ、持ち運びづらいので、原則的には２人がかりで持ち運ばなければならないという若干の問題があった。
【０００５】
本発明は、畳を加工する作業性に優れ、かつ、１人でも簡単に持ち運び可能な畳作業台を得ることを目的とするものである。
【０００６】
【課題を解決するための手段】
本発明による畳作業台は、縦枠と横枠で構成され、この横枠側に設けたヒンジで折り畳み自在に結合した２枚の天枠部と、この２枚の天枠部における前記ヒンジと反対側にそれぞれ２個ずつ折り畳み自在に取り付けられ、立ち作業に適した高さを有する脚柱と、前記２枚の天枠部における縦枠の一方側に沿ってそれぞれ起伏自在に設けられた縦向き載棒と、前記いずれか一方の前記天枠部の縦枠の前記ヒンジと反対側に沿って起伏自在に設けられた横向き載棒とを具備し、前記脚柱を、前記天枠部の縦枠に脚柱支持板とピンにより回動自在に取付け、前記脚柱を起立したとき前記縦枠とで、３角形をなすようにアームを配置し、このアームの一端を、ピンにより前記縦枠に回動自在に取付け、前記アームの他端側に長孔を形成し、前記脚柱に設けた締付ねじを前記長孔に摺動かつ締め付け自在に取り付け、前記一方の天枠部のヒンジと反対側の横枠の外側縁にキャスタを取付け、他方の天枠部のヒンジと反対側の横枠の外側縁にストッパ取付金具により着脱自在に畳床係止用ストッパを取付け、前記２枚の天枠部を折り畳んだとき、隣り合う脚柱間に開き防止の留め具を設け、前記各脚柱に、高さ調節脚を伸縮自在に取り付けたことを特徴とする。
【０００７】
前記縦向き載棒４９は、天枠部４０の縦枠４２と同程度の長さとし、前記天枠部４０の縦枠４２の少なくともいずれか一辺に沿って起伏自在に設ける。
【０００８】
一方の天枠部４０の横枠４３のヒンジ４４と反対側には、内側に前記横向き載棒５０を取付け、外側にキャスタ６１を取付ける。
又、他方の天枠部４０の横枠４３の、ヒンジ４４と反対側には、畳床係止用ストッパ６２を着脱自在に取付ける。
【０００９】
畳の張り替え等の作業等を終了後、畳作業台を収納又は移動する場合は、以下のようにする。
起き上がっている２本の縦向き載せ棒４９及び横向き載棒５０を倒す。
畳作業台を裏返し、４本の脚脚４１の側面にある固定ねじ４８をゆるめて高さ調節脚４７を縮め、かつ、締付けねじ５７をすべてゆるめ、ピン６０を長孔５８内で摺動させながら脚柱４１を９０度折り曲げ、天枠部４０と平行な状態にし、再び固定ねじ４８、高さ調節脚４７を固定する。
一方の天枠部４０を持ち上げ、中央部のヒンジ４４を支点にして１８０度折り曲げて、他方の天枠部４０の上に重ねる。すると、２枚の天枠部４０に設けられたキャスタ６２及びストッパ６１が同じ方向に揃えられる。
畳作業台を折畳んだ状態で、収納袋やカバー等に収納し、このまま運搬したり、作業場の片隅等に保管する。
畳作業台を折畳んだまま移動する場合は、キャスタ６２を下側にして畳作業台の上部を持ち、キャスタ６２側にやや傾けてストッパ６１を床から浮き上がらせ、キャスタ６２を転がして移動する。
【００１０】
【実施例】
本発明による畳作業台の実施例を図面に基づき説明する。
図１及び図２において、本発明による畳作業台は、１辺が５０ｍｍの正方形中空のアルミニウム角筒を枠材として用いて構成したもので、２枚の天枠部４０と、折り畳み及び伸縮可能な４本の脚柱４１と、前記２枚の天枠部４０を結合するヒンジ４４と、天枠部４０の縦枠４２側にそれぞれ設けられた縦向き載棒４９と、いずれか一方の天枠部４０の横枠４３側に設けられた横向き載棒５０と、いずれか一方の天枠部４０に設けられたキャスタ６２と、他方の天枠部４０に設けられた畳床係止用ストッパ６１とからなる。
前記天枠部４０は、縦枠４２と横枠４３とを、一辺が８００ｍｍの正方形となるように溶接され、かつ、内側に２本の横枠４３が等間隔で溶接されて構成されている。
【００１１】
前記脚柱４１は、長さが６００ｍｍで、この脚柱４１を垂直に立て、これらの間にＨ型に脚柱補強枠４６を溶接する。このＨ型に溶接したものを２組用意し、各脚柱４１の下方部に長さ調節脚４７を伸縮自在に嵌合し、立ち作業に適した高さを有するように、長さ６００〜８００ｍｍの範囲で調節した後、固定ねじ４８で固定されている。
前記各脚柱４１の上部に脚柱支持板４５が溶接により取付けられ、脚柱４１を天枠部４０の両端部付近の下面に当てがいつつ、２枚の脚柱支持板４５で縦枠４２の両側面を挟みつつ、ピン６５によって前記縦枠４２に折り畳み自在に取り付ける。
又、各脚柱４１の下部と縦枠４２の側面との間に長孔５６を有するアーム５８が設けられ、このアーム５８の脚柱４１側は締付けねじ５７によって取付けられ、このアーム５７の縦枠４２側はピン６０によって回動自在に取付けられる。
【００１２】
前記２枚の天枠部４０のそれぞれの縦枠４２に沿って、アルミニウム円筒からなる縦向き載棒４９が支持部材５１、Ｌ字金具５３及びピン５４によって起伏自在に設けられている。この縦向き載棒４９は、図４に示すように、天枠部４０の上に起き上がらせて畳床を天枠部４０に載せるときに使用する。
【００１３】
一方の前記天枠部４０の横枠４３の内側に沿って、アルミニウム円筒からなる横向き載棒５０が、支持部材５１、Ｌ字金具５３及びピン５４によって起伏自在に設けられている。これらの横向き載棒５０は、図３に示すように、天枠部４０の上に起き上がらせ畳床を天枠部４０に載せるときに使用する。
又、この横向き載せ棒５０を取付けた天枠部４０の外側に２個のキャスタ６２が取付けられている。
他方の天枠部４０のヒンジ４４と反対側の横枠４３に沿って、端面がクランク型に折曲した畳床係止用ストッパ６１が両端の取付け金具６３により着脱自在に取付けられている。
【００１４】
以上のような構成において畳作業台を持ち運ぶときには、図１に示す状態の作業台を裏返しにして、固定ねじ４８をゆるめて高さ調節脚４７を縮め、又、両側の脚柱４１の締付けねじ５７をゆるめ、両側の脚柱４１を内側に折り畳み、その後に、固定ねじ４８と締付けねじ５７を締付ける。
一方の天枠部４０を、ヒンジ４４を支点として他方の天枠部４０側へ折畳み、隣り合う脚柱４１間に設けられた留め具６４で天枠部４０，４０が開かないように留める。
このまま運搬するときは、キャスタ６２が床面や地面に接するように天枠部４０を持ち上げる。このとき、天枠部４０をキャスタ６２側に傾けてストッパ６１を床から浮かせ、キャスタ６２を転がして運搬する。
或いは、畳作業台を折畳んだ状態で、図示しない収納袋等に収納してもよい。
【００１５】
以上のように構成した畳作業台を用いて畳床に畳表を張り替える場合の作業工程を説明する。
工程１：畳床２９と畳表１６を用意し、畳床２９を図３に示すように組立てられた畳作業台の上に載せる。畳表１６の張替の場合には、畳作業台の上に畳床２９を裏返しにして載せて古い畳縁３１と畳表１６の裏側部分を外し、ついで、畳床２９を表向きにして畳縁３１と畳表１６を剥がす。
【００１６】
工程２：畳床２９に畳表１６を張付ける。
図３に示すように、脚柱４１における両側の横向き載棒５０を天枠部４０の上に起き上がらせ、その上に畳床２９を表向きにして載せ、この畳床２９の他方の端を天枠部４０の他端に設けたストッパ６１に押し付け、更に畳床２９の中央部分を上から強く押しつけて湾曲させる。この状態で畳床２９の上前１２側に、畳表１６を直線的に切断した側を合わせて載せる。この畳表１６は、上前１２側が一致し、下前１３側が少なくとも３０ｍｍ程度突出し、左右が少なくとも１００ｍｍ程度はみ出すようなものが用いられ、一端縁部を下向きに折り込んで仮止めピン３２で仮止めし、さらに他端部をしっかりと引っ張り込んで同様に仮止めピン３２で仮止めする。すると、畳表１６と畳床２９との間に隙間３８が形成される。
畳床２９を裏返しにして畳床２９の側面から下端まで巻き込み一定幅で切断し、コ字形などの釘を一定間隔で打ち込み、畳表１６のほつれ防止のために端縁に沿って接着テープを接着し、さらに、釘を一定間隔で打ち込む。接着テープが十分な接着力を有する場合には、コ字形などの釘を省くこともできる。湾曲した畳床２９を平坦にすると、畳表１６は、皺のないピンと張った状態となる。
【００１７】
工程３：上前１２側に畳縁３１を取り付ける。
図４に示すように、２枚の天枠部４０のそれぞれの縦向き載棒４９を起き上がらせて、その上に畳床２９を載せ、畳床２９の上前１２に畳縁３１を取付ける。このとき畳床２９が斜めになり、上前１２がやや上向きになるので、畳縁３１の取付け作業性がよくなる。
【００１８】
工程４：上前１２側の畳縁３１の取付けを終了後、下前１３側に畳縁３１を取り付ける。
起き上がった縦向き載棒４９の上に下前１３側が載るように畳床２９を１８０度反転し、畳床２９を表向きにして載せ、この畳床２９の中央部分を上から強く押しつけて畳床２９のみを湾曲させる。この状態で、畳床２９の下前１３よりも２〜３ｍｍ内側になるように畳表１６を切断する。そして、畳表１６の両端部をしっかりと引っ張り込んで仮止めピン３２で仮止めする。すると、畳表１６と畳床２９との間に隙間３８が形成される。
この状態で下前１３に畳縁３１を取付ける。湾曲した畳床２９を平坦にすると、畳表１６は、皺のないピンと張った状態で張り上がる。
【００１９】
【発明の効果】
本発明は、上述のように構成したので、以下の効果を有する。
脚柱４１及び天枠部４０を折畳むことができるので、従来の畳作業台と比較して大きさが半分程度となり、コンパクトになる。
更に、天枠部４０の横枠４３にはキャスタ６２を設けたので、畳作業台を持ち上げなくても移動可能となる。
従って、従来の畳作業台と比較して、格段に持ち運びしやすい畳作業台を得ることができる。
【００２０】
脚柱４１の下部に、畳作業台の高さを調節するための高さ調節脚４７を設けたので、作業する人の背の高さや作業内容に応じて高さを変えることが可能となり、又、座って作業することも可能であり、その結果、畳を加工する作業性をより優れたものとすることができる。更に、畳床の端面をやや上向きにして作業できるので、より作業性を向上させることができる。
【００２１】
２枚の天枠部４０を構成する縦枠４１と縦枠４２、脚柱４１、縦向き載棒４９及び横向き載棒５０は、アルミニウムの角筒又は円筒からなる構成としたので、軽量で持ち運びの容易な畳作業台を得ることができる。
【００２２】
又、畳作業台の収納スペースが従来のものの約半分で済み、移動にもあまり力を必要としないため、１人で簡単にで移動することもできる。
【００２３】
前記縦向き載棒４９及び前記横向き載棒５０を起き上がらせ、畳床２９を湾曲した状態で畳表１６を張ることにより、湾曲した畳床２９を平坦にすると、畳表１６は、皺のないピンと張った状態で張り上げることができる。
【００２４】
従って、畳床２９に畳表１６を張り替えする場合、永年の経験を有する職人によることなく、畳職人としての経験を有しない人でも簡単に、しかも、正確できれいに畳表の張り替えができるものである。
【図面の簡単な説明】
【図１】  本発明による畳作業台の一実施例を示す斜視図である。
【図２】  （ａ）は、図１の畳作業台を折畳んだ状態の左側面図、（ｂ）は、同じく右側面図である。
【図３】  本発明による縦枠方向の断面図である。
【図４】  本発明の畳作業台の側面図である。
【符号の説明】
１２…上前、１３…下前、１６…畳表、２９…畳床、３１…畳縁、３２…仮止めピン、３８…隙間、４０…天枠部、４１…脚柱、４２…横枠４３…横枠、４４…ヒンジ、４５…脚柱支持板、４６…脚柱補強枠、４７…高さ調節脚、４８…固定ねじ、４９…縦向き載棒、５０…横向き載棒、５１…載棒支持部材、５２…収納袋、５３…Ｌ金具、５４…ピン、５６…長孔、５７…締付ねじ、５８…アーム、６０…ピン、６１…畳床係止用ストッパ、６２…キャスタ、６３…ストッパ取付金具、６４…留め具、６５…ピン。
【図１】
0004637420.tif 000002
【図２】
0004637420.tif 000003
【図３】
0004637420.tif 000004
【図４】
0004637420.tif 000005